(57)【要約】【課題】  複数番組の録画状態及びその操作系を動的に分かり易くすることが可能な番組録画装置を提供すること。【解決手段】  録画情報表示方法は、複数の番組コンテンツを録画する複数の録画手段により録画される各番組コンテンツの関連情報と各録画手段の動作状態とを対応付けた各録画情報を含む第１のメニューを表示部に表示するための第１の表示情報を生成し、前記第１のメニューに含まれた各録画情報の中から選択操作により選択された一つの録画情報が示す所定の録画手段の動作状態に応じた次の動作を選択するための選択項目を含む第２のメニューを前記表示部に表示するための第２の表示情報を生成し、前記第１の表示情報を前記表示部に対して出力し、前記選択操作に対応して、前記第１及び第２の表示情報を前記表示部に対して出力する。【選択図】      図５
2010011331.tif 000002
【特許請求の範囲】
【請求項１】
複数の番組コンテンツを取得する取得手段と、
前記複数の番組コンテンツを録画する複数の録画手段と、
選択操作を入力する選択操作入力手段と、
第１のメニューを表示部に表示するための第１の表示情報、及び第２のメニューを前記表示部に表示するための第２の表示情報を生成する表示情報生成手段と、
前記表示部に対して、前記第１及び第２の表示情報を出力する出力手段と、
を備え、
前記第１のメニューは、各録画手段により録画される各番組コンテンツの関連情報と各録画手段の動作状態とを対応付けた各録画情報を含み、
前記第２のメニューは、前記第１のメニューに含まれた各録画情報の中から前記選択操作により選択された一つの録画情報が示す所定の録画手段の動作状態に応じた次の動作を選択するための少なくとも一つの選択項目を含む、
ことを特徴とする番組録画装置。
【請求項２】
前記第２のメニューは、前記選択操作により選択された一つの録画情報が示す前記所定の録画手段の録画中状態に応じて、録画中止を選択するための選択項目を含むことを特徴とする請求項１に記載の番組録画装置。
【請求項３】
前記第２のメニューは、前記選択操作により選択された一つの録画情報が示す前記所定の録画手段の予約録画準備中状態に応じて、予約録画準備中止を選択するための選択項目を含むことを特徴とする請求項１に記載の番組録画装置。
【請求項４】
前記第２のメニューは、前記選択操作により選択された一つの録画情報が示す前記所定の録画手段の非録画中状態に応じて、録画開始を選択するための選択項目を含むことを特徴とする請求項１に記載の番組録画装置。
【請求項５】
前記第２のメニューは、前記選択操作により選択された一つの録画情報が示す前記所定の録画手段により処理されている番組コンテンツの非視聴状態に応じて、視聴を選択するための選択項目を含むことを特徴とする請求項１乃至４の何れか一つに記載の番組録画装置。
【請求項６】
前記出力手段は、前記選択操作により視聴が選択された番組コンテンツの映像と前記第１の表示情報とを合成した第１の合成画像を出力し、前記選択操作により前記第１のメニュー中の一つの録画情報が選択されたタイミングで前記映像と前記第１及び第２の表示情報とを合成した第２の合成画像を出力することを特徴とする請求項１乃至５の何れか一つに記載の番組録画装置。
【請求項７】
複数の番組コンテンツを録画する複数の録画手段により録画される各番組コンテンツの関連情報と各録画手段の動作状態とを対応付けた各録画情報を含む第１のメニューを表示部に表示するための第１の表示情報を生成し、
前記第１のメニューに含まれた各録画情報の中から選択操作により選択された一つの録画情報が示す所定の録画手段の動作状態に応じた次の動作を選択するための選択項目を含む第２のメニューを前記表示部に表示するための第２の表示情報を生成し、
前記第１の表示情報を前記表示部に対して出力し、
前記選択操作に対応して、前記第１及び第２の表示情報を前記表示部に対して出力する、
ことを特徴とする録画情報表示方法。
【発明の詳細な説明】
【技術分野】
【０００１】
本発明は、複数の番組を同時に録画することが可能な番組録画装置に関する。
【背景技術】
【０００２】
近年、複数のチューナーを搭載し、複数の番組を同時に録画することが可能なレコーダが登場している。これにより、ユーザは、同じ時間帯に放送される複数の番組を録画して楽しむことができる。
【０００３】
このようなレコーダは、録画状態が直感的に分かり難く、また操作系も直感的に分かり難くなり易い。例えば、このようなレコーダが、複数の番組を同時に録画しているときに、どちらか一方の番組録画だけを停止しようとした場合、ユーザはまずどのような操作をしてよいか直感的に分かり難い。
【０００４】
このような背景のもと、このようなレコーダの操作系を分かり易くするための技術が提案されている（特許文献１参照）。この特許文献１には、停止操作に応じて、現時点において記録中の情報ブロックの名称を表示し、表示された情報ブロックの名称の内から選択された情報ブロックに対する記録動作を停止する技術が開示されている。
【特許文献１】特開２００３−１５８７０１
【発明の開示】
【発明が解決しようとする課題】
【０００５】
しかしながら、上記した特許文献１に開示された技術は、録画停止操作を比較的簡単化しているものの、上記したようなレコーダにおける録画状態が直感的に分かり難い点については改善されていない。さらに、上記した特許文献１に開示された技術をもってしても、番組の録画状態に応じた操作がやはり分かり難い。例えば、録画が開始されていない状態では、当然、録画停止操作は有効ではないが、録画予約停止操作は有効である。
【０００６】
本発明の目的は、録画状態に応じて動的に変化する操作を分かり易くすることが可能な番組録画装置及び録画情報表示方法を提供することにある。
【課題を解決するための手段】
【０００７】
この発明の一実施形態に係る番組録画装置は、複数の番組コンテンツを取得する取得手段と、前記複数の番組コンテンツを録画する複数の録画手段と、選択操作を入力する選択操作入力手段と、第１のメニューを表示部に表示するための第１の表示情報、及び第２のメニューを前記表示部に表示するための第２の表示情報を生成する表示情報生成手段と、前記表示部に対して、前記第１及び第２の表示情報を出力する出力手段とを備え、前記第１のメニューは、各録画手段により録画される各番組コンテンツの関連情報と各番組コンテンツの処理状態とを対応付けた各録画情報を含み、前記第２のメニューは、前記第１のメニューに含まれた各録画情報の中から前記選択操作により選択された一つの録画情報が示す所定の録画手段の動作状態に応じた次の動作を選択するための選択項目を含む。
【０００８】
この発明の一実施形態に係る録画情報表示方法は、複数の番組コンテンツを録画する複数の録画手段により録画される各番組コンテンツの関連情報と各番組コンテンツの処理状態とを対応付けた各録画情報を含む第１のメニューを表示部に表示するための第１の表示情報を生成し、前記第１のメニューに含まれた各録画情報の中から選択操作により選択された一つの録画情報が示す所定の録画手段の動作状態に応じた次の動作を選択するための選択項目を含む第２のメニューを前記表示部に表示するための第２の表示情報を生成し、前記第１の表示情報を前記表示部に対して出力し、前記選択操作に対応して、前記第１及び第２の表示情報を前記表示部に対して出力する。
【発明の効果】
【０００９】
本発明によれば、録画状態に応じて動的に変化する操作を分かり易くすることが可能な番組録画装置及び録画情報表示方法を提供できる。
【発明を実施するための最良の形態】
【００１０】
以下、図面を参照し、本発明の実施形態について説明する。
【００１１】
図１は、本発明の一実施形態に係る録画再生装置（番組録画装置）の概略構成を示すブロック図である。図１に示すように、録画再生装置１は、ＴＶチューナー部１０２、オーディオＡ／Ｄ（アナログ／デジタル）変換器１０３、ビデオＡ／Ｄ（アナログ／デジタル）変換器１０４、ＭＰＥＧエンコーダ１０５、オーディオＤ／Ａ（デジタル／アナログ）変換器１０６、ビデオＤ／Ａ（デジタル／アナログ）変換器１０７、ＨＤＤ（ハードディスクドライブ）１０８、リモートコントローラ（リモコン）１０９、受信機１１０、マイクロプロセッサ１１１、イーサネット（登録商標）コントローラ１１２を備えている。
【００１２】
録画再生装置１のＴＶチューナー部１０２には、アンテナ１０１からの信号が入力されており、また録画再生装置１のオーディオＤ／Ａ変換器１０６からの信号はスピーカー３に入力されており、また録画再生装置１のビデオＤ／Ａ変換器１０７からの信号はＴＶ２（表示部）に入力されている。
【００１３】
ＴＶチューナー部１０２は、アンテナ１０１からの映像音声信号を受信する。オーディオＡ／Ｄ変換器１０３は、映像音声信号に含まれる音声信号をデジタル信号に変換し、ビデオＡ／Ｄ変換器１０４は、映像音声信号に含まれる映像信号をデジタル信号に変換する。ＭＰＥＧエンコーダ１０５は、音声信号及び映像信号をエンコードし、ＨＤＤ１０８は、エンコードされた音声信号及び映像信号を記録する。なお、本実施形態では、録画再生装置１のＨＤＤ１０８が、音声信号及び映像信号を記録するケースについて説明するが、録画再生装置１がＤＶＤドライブを備え、ＤＶＤドライブが音声信号及び映像信号を記録してもよい。
【００１４】
また、オーディオＤ／Ａ変換器１０６は、デジタルの音声信号をアナログ信号の音声信号へ変換し、アナログ信号の音声信号をスピーカー３へ出力する。ビデオＤ／Ａ変換器１０７は、デジタルの映像信号をアナログ信号の映像信号へ変換し、アナログ信号の映像信号をＴＶ２へ出力する。
【００１５】
イーサネットコントローラ１１２は、例えばインターネットを介して電子番組表を受信し、ビデオＤ／Ａ変換器１０７は、電子番組表の映像信号をＴＶ２へ出力する。
【００１６】
マイクロプロセッサ１１１は、上記説明した映像音声信号の記録処理及び映像音声信号の出力処理（再生処理）を制御する。また、リモートコントローラ１０９は、ユーザ操作（選択操作等）を受け付け、受け付けたユーザ操作に対応する操作信号を送信する。受信機１１０は、リモートコントローラ１０９からの操作信号を受信し、マイクロプロセッサ１１１に通知する。マイクロプロセッサ１１１は、通知される操作信号に基づき、各種動作を制御する。例えば、録画処理又は再生処理を開始したり、停止したり、ＴＶ２上に表示されるカーソルを移動させたり、カーソルにより選択された項目を決定したりする。
【００１７】
なお、上記説明では、アンテナ１０１からアナログの放送信号を受信し、録画したり、再生したりするケースについて説明したが、ＴＶチューナ部１０２は、アナログチューナだけでなく、複数のデジタルチューナも備える。これにより、地上アナログ（地Ａ）放送、地上デジタル（地Ｄ）放送、ＢＳデジタル放送、ＣＳデジタル放送を受信することができ、地上アナログ放送を録画したり再生したりするだけでなく、地上デジタル放送、ＢＳデジタル放送、ＣＳデジタル放送を録画したり再生したりすることもできる。また、これら複数放送の番組を同時にＨＤＤ１０８により録画することもできるし、複数放送の番組を同時にＨＤＤ１０８により録画しながら、録画中の番組或いは別の番組を再生することもできる。このような複数放送の番組を同時に録画しながら、録画中の番組或いは別の番組を再生する技術は公知技術であり、ここではその詳細な装置構成の説明は省略する。
【００１８】
図２は、図１に示す録画再生装置による録画情報表示処理を実行するための機能ブロックの一例を示す図である。
【００１９】
図２に示すように、録画再生装置１は、システム制御部１２０、各モード状態情報取得部１２１、各モード状態一覧画面生成部１２２、各モード処理メニュー生成部１２３、表示処理部１２４、各モード選択部１２５、各モード処理メニュー選択部１２６を備えている。
【００２０】
モード状態情報取得部１２１は、予約録画準備中、録画中、非録画中、再生中（視聴中）、非再生中（非視聴中）などの動作状態を示す情報を取得する。例えば、システム制御部１２０により動作制御される第１の仮想レコーダ（ＴＳ１）が、電子番組表から生成された第１の録画予約情報（地上デジタル（地Ｄ）、６ｃｈ、番組名４、８：００〜９：００）に基づき第１の番組を録画すると仮定する。また、システム制御部１２０により動作制御される第２の仮想レコーダ（ＴＳ２）が、電子番組表から生成された第２の録画予約情報（ＣＳ、１０１ｃｈ、番組名２、８：１５〜９：３０）に基づき第２の番組を録画すると仮定する。さらに、システム制御部１２０により動作制御される第３の仮想レコーダ（ＲＥ）が、電子番組表から生成された第３の録画予約情報（地上デジタル（地Ｄ）、１０１ｃｈ、番組名３、６：００〜１０：００）に基づき第３の番組を録画すると仮定する。なお、第１の仮想レコーダ（ＴＳ１）及び第２の仮想レコーダ（ＴＳ２）は、ＭＰＥＧ−ＴＳ（Transport Stream）の形式で番組を録画する。第３の仮想レコーダ（ＲＥ）は、任意の画質に変換して番組を録画することができる。
【００２１】
モード状態情報取得部１２１は、第１、第２、及び第３の仮想レコーダの動作状態を取得する。つまり、第１の仮想レコーダが、予約録画準備中、録画中、非録画中、再生中（視聴中）、非再生中（非視聴中）のどの動作状態なのかを取得し、同様に、第２の仮想レコーダが、予約録画準備中、録画中、非録画中、再生中（視聴中）、非再生中（非視聴中）のどの動作状態なのかを取得し、同様に、第３の仮想レコーダが、予約録画準備中、録画中、非録画中、再生中（視聴中）、非再生中（非視聴中）のどの動作状態なのかを取得する。
【００２２】
モード状態一覧画面生成部１２２は、モード状態情報取得部１２１により取得された動作状態の情報と予約録画情報とに基づき、メニュー画面を表示するための表示情報を生成する。つまり、モード状態一覧画面生成部１２２は、モード状態情報取得部１２１により取得された第１、第２、第３の仮想レコーダの動作状態の情報と第１、第２、第３の予約録画情報とに基づき、第１のメニュー画面Ｍ１（図４参照）を表示部（ＴＶ２）に表示するための第１の表示情報を生成する。
【００２３】
図４に示すように、第１のメニュー画面Ｍ１は、第１の仮想レコーダにより録画される第１の番組の第１の録画予約情報（地上デジタル（地Ｄ）、６ｃｈ、番組名４、９：００〜９：３０）と第１の仮想レコーダの動作状態（予約録画準備中でもなく、録画中でもなく、再生中でもないため、特に何も表示されていない）とを対応付けた第１の録画情報を含む。さらに、第１のメニュー画面Ｍ１は、第２の仮想レコーダにより録画される第２の番組の第２の録画予約情報（ＣＳ、１０１ｃｈ、番組名２、８：１５〜９：３０）と第２の仮想レコーダの動作状態（録画中で且つ再生中）とを対応付けた第２の録画情報を含む。さらに、第１のメニュー画面Ｍ１は、第３の仮想レコーダにより録画される第３の番組の第３の録画予約情報（地上デジタル（地Ｄ）、１０１ｃｈ、番組名３、６：００〜１０：００）と第３の仮想レコーダの動作状態（予約録画準備中でもなく、録画中でもなく、再生中でもないため、特に何も表示されていない）とを対応付けた第３の録画情報を含む。なお、図４に示すように、第１のメニュー画面Ｍ１中の「黒塗りの丸印」が録画状態を示し、「白抜きの丸印」が予約録画準備中を示し、「>>」が視聴中を示す。
【００２４】
表示処理部１２４は、第１の表示情報と視聴のために選択された番組の映像とを合成した第１の合成画像を生成し、表示部（ＴＶ２）に出力する。これにより、例えば図４に示すような第１の合成画面が表示部（ＴＶ２）に表示される。
【００２５】
図４に示す第１のメニュー画面Ｍ１が表示された状態で、ユーザは、リモートコントローラ１０９を介して、第１のメニュー画面Ｍ１上に表示されたカーソルを移動させることができる。つまり、第１のメニュー画面Ｍ１上に表示された第１、第２、第３の録画情報の何れか一つの録画情報をカーソルにより選択することができる。
【００２６】
各モード選択部１２５は、カーソルによる録画情報の選択を各モード状態一覧画面生成部１２２、各モード処理メニュー生成部１２３に通知する。各モード状態一覧画面生成部１２２は、カーソルによる録画情報の選択の通知に基づき、例えば、カーソルにより選択された録画情報の表示を反転させた第１の表示情報を生成し直したり、或いはカーソルにより選択された録画情報の表示色を変更した第１の表示情報を生成し直したりする。
【００２７】
例えば、モード状態一覧画面生成部１２２は、カーソルによる第３の録画情報の選択の通知に基づき、カーソルにより選択された第３の録画情報の表示を反転させた第１の表示情報を生成し直したり、或いはカーソルにより選択された第３の録画情報の表示色を変更した第１の表示情報を生成し直したりする。これにより、図４に示す第１のメニュー画面Ｍ１において、カーソルにより選択された第３の録画情報の表示が反転したり、カーソルにより選択された第３の録画情報の表示色が変更されたりする。
【００２８】
或いは、モード状態一覧画面生成部１２２は、カーソルによる第２の録画情報の選択の通知に基づき、カーソルにより選択された第２の録画情報の表示を反転させた第１の表示情報を生成し直したり、或いはカーソルにより選択された第２の録画情報の表示色を変更した第１の表示情報を生成し直したりする。これにより、図５に示す第１のメニュー画面Ｍ１において、カーソルにより選択された第２の録画情報の表示が反転したり、カーソルにより選択された第２の録画情報の表示色が変更されたりする。
【００２９】
或いは、モード状態一覧画面生成部１２２は、カーソルによる第１の録画情報の選択の通知に基づき、カーソルにより選択された第１の録画情報の表示を反転させた第１の表示情報を生成し直したり、或いはカーソルにより選択された第１の録画情報の表示色を変更した第１の表示情報を生成し直したりする。これにより、図６に示す第１のメニュー画面Ｍ１において、カーソルにより選択された第１の録画情報の表示が反転したり、カーソルにより選択された第１の録画情報の表示色が変更されたりする。
【００３０】
また、各モード処理メニュー生成部１２３は、カーソルによる録画情報の選択の通知及び図８に示すモード処理メニュー情報テーブルに基づき、第２のメニュー画面Ｍ２（図５、図６、図７参照）を表示部（ＴＶ２）に表示するための第２の表示情報を生成する。第２のメニュー画面Ｍ２は、第１のメニュー画面Ｍ１に含まれた各録画情報の中から選択操作により選択された一つの録画情報が示す仮想レコーダの動作状態に応じた次の動作を選択するための選択項目を含む。
【００３１】
例えば、図５に示すように、第２のメニュー画面Ｍ２は、第１のメニュー画面Ｍ１に含まれた第１、第２、及び第３の録画情報の中から選択操作により選択された第２の録画情報が示す第２の仮想レコーダの動作状態（つまり再生中且つ予約録画準備中）に応じた動作（予約録画準備中止、視聴する、キャンセル）を選択するための選択項目を含む。或いは、図６に示すように、第２のメニュー画面Ｍ２は、第１のメニュー画面Ｍ１に含まれた第１、第２、及び第３の録画情報の中から選択操作により選択された第１の録画情報が示す第１の仮想レコーダの動作状態（つまり録画中）に応じた動作（録画中止、視聴する、キャンセル）を選択するための選択項目を含む。或いは、図７に示すように、第２のメニュー画面Ｍ２は、第１のメニュー画面Ｍ１に含まれた第１、第２、及び第３の録画情報の中から選択操作により選択された第３の録画情報が示す第３の仮想レコーダの動作状態（予約録画準備中でもなく、録画中でもなく、再生中でもないため、特に何も表示されていない）に応じた動作（視聴する、キャンセル）を選択するための選択項目を含む。
【００３２】
なお、図５〜図７に示す第２のメニュー画面Ｍ２の表示例だけでなく、仮想レコーダの動作状態が非録画中であれば、第２のメニュー画面Ｍ２は録画開始を選択するための選択項目を含み、仮想レコーダの動作状態が非視聴中であれば、第２のメニュー画面Ｍ２は視聴を選択するための選択項目を含む（図８参照）。
【００３３】
表示処理部１２４は、第１及び第２の表示情報と視聴のために選択された番組の映像とを合成した第２の合成画像を生成し、表示部（ＴＶ２）に出力する。これにより、例えば図５、図６、図７に示すような第２の合成画面が表示部（ＴＶ２）に表示される。
【００３４】
さらに、図５に示す第２のメニュー画面Ｍ２が表示された状態で、ユーザは、リモートコントローラ１０９を介して、第２のメニュー画面Ｍ２上に表示されたカーソルを移動させることができる。つまり、第２のメニュー画面Ｍ２上に表示された複数の選択項目の何れか一つの選択項目をカーソルにより選択することができる。同様に、図６に示す第２のメニュー画面Ｍ２が表示された状態で、ユーザは、リモートコントローラ１０９を介して、第２のメニュー画面Ｍ２上に表示されたカーソルを移動させることができる。つまり、第２のメニュー画面Ｍ２上に表示された複数の選択項目の何れか一つの選択項目をカーソルにより選択することができる。同様に、図７に示す第２のメニュー画面Ｍ２が表示された状態で、ユーザは、リモートコントローラ１０９を介して、第２のメニュー画面Ｍ２上に表示されたカーソルを移動させることができる。つまり、第２のメニュー画面Ｍ２上に表示された複数の選択項目の何れか一つの選択項目をカーソルにより選択することができる。
【００３５】
各モード処理メニュー選択部１２６は、カーソルによる選択項目の選択を各モード処理メニュー生成部１２３に通知する。各モード処理メニュー生成部１２３は、カーソルによる選択項目の選択の通知に基づき、例えば、カーソルにより選択された選択項目の表示を反転させた第２の表示情報を生成し直したり、カーソルにより選択された選択項目の表示を変更させた第２の表示情報を生成し直したりする。
【００３６】
例えば、各モード処理メニュー生成部１２３は、カーソルによる選択項目の選択の通知に基づき、カーソルにより選択された選択項目の表示を反転させた第２の表示情報を生成し直したり、カーソルにより選択された選択項目の表示を変更させた第２の表示情報を生成し直したりする。これにより、図５に示す第２のメニュー画面Ｍ２において、カーソルにより選択された選択項目の表示が反転したり、表示が変更したりする。或いは、図６に示す第２のメニュー画面Ｍ２において、カーソルにより選択された選択項目の表示が反転したり、表示が変更したりする。或いは、図７に示す第２のメニュー画面Ｍ２において、カーソルにより選択された選択項目の表示が反転されたり、表示が変更されたりする。
【００３７】
図３は、図１及び図２で説明した録画再生装置による表示処理の一例を示すフローチャートである。
【００３８】
ユーザは、リモートコントローラ１０９を介して、メニュー画面の表示を要求することができる。メニュー画面の表示が要求されると、第１のメニュー画面Ｍ１のためのリストが生成され（ＳＴ１０１）、図４に示すように、第１のメニュー画面Ｍ１が表示される（ＳＴ１０２）。
【００３９】
ユーザは、リモートコントローラ１０９を介して、第１のメニュー画面Ｍ１上に表示されたカーソルを移動させることがでる。つまり、第１のメニュー画面Ｍ１上に表示された第１、第２、第３の録画情報の何れか一つの録画情報をカーソルにより選択することができる。さらにリモートコントローラ１０９の決定ボタンにより、選択された録画情報を決定することができる（ＳＴ１０３、ＹＥＳ）。
【００４０】
例えば、図５に示す第１のメニュー画面Ｍ１中の第２の録画情報（予約録画準備中）が選択されると（ＳＴ１０４、ＹＥＳ）、図５に示す第２のメニュー画面Ｍ２（サブメニュー）が表示される（ＳＴ１０５）。第２のメニュー画面Ｍ２上に表示された複数の選択項目の何れか一つの選択項目がカーソルにより選択され、決定ボタンが押下されると（ＳＴ１０６、ＹＥＳ）、選択された選択項目に応じた動作が実行される（ＳＴ１０７）。例えば、予約準備中止の選択項目が選択され、決定ボタンが押下された場合には、予約準備が中止される。
【００４１】
同様に、図６に示す第１のメニュー画面Ｍ１中の第１の録画情報（録画中）が選択されると（ＳＴ１０８、ＹＥＳ）、図６に示す第２のメニュー画面Ｍ２（サブメニュー）が表示される（ＳＴ１０９）。第２のメニュー画面Ｍ２上に表示された複数の選択項目の何れか一つの選択項目がカーソルにより選択され、決定ボタンが押下されると（ＳＴ１１０、ＹＥＳ）、選択された選択項目に応じた動作が実行される（ＳＴ１０７）。
【００４２】
同様に、図７に示す第１のメニュー画面Ｍ１中の第３の録画情報（非視聴中）が選択されると（ＳＴ１１１、ＮＯ）、図７に示す第２のメニュー画面Ｍ２（サブメニュー）が表示される（ＳＴ１１２）。第２のメニュー画面Ｍ２上に表示された複数の選択項目の何れか一つの選択項目がカーソルにより選択され、決定ボタンが押下されると（ＳＴ１１３、ＹＥＳ）、選択された選択項目に応じた動作が実行される（ＳＴ１０７）。
【００４３】
以下、本実施形態についてまとめる。
【００４４】
（１）本発明の一実施形態に係る録画再生装置は、各仮想レコーダの動作状態と各仮想レコーダにより処理される番組関連情報（録画予約情報）とを対応付けて一覧表示する。
【００４５】
（２）本発明の一実施形態に係る録画再生装置は、各仮想レコーダの動作状態に応じて動的に変化する操作条件を画面上で簡単に選択できるように表示する。
【００４６】
以上により、各仮想レコーダの動作状態を直感的に知ることができ、さらに、簡単な操作（例えば１回の選択操作）で各仮想レコーダの動作状態に応じて動的に変化する操作条件を知ることもできる。また、ある仮想レコーダによりある番組が再生された状態でも、別の仮想レコーダの動作条件等を変更したりすることもできる。
【００４７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４８】
【図１】本発明の一実施形態に係る録画再生装置（番組録画装置）の概略構成を示すブロック図である。
【図２】図１に示す録画再生装置による録画情報表示処理を実行するための機能ブロックの一例を示す図である。
【図３】図１及び図２で説明した録画再生装置による表示処理の一例を示すフローチャートである。
【図４】第１のメニュー画面の表示例を示す図である。
【図５】第１のメニュー画面及び第２のメニュー画面の第１の表示例を示す図である。
【図６】第１のメニュー画面及び第２のメニュー画面の第２の表示例を示す図である。
【図７】第１のメニュー画面及び第２のメニュー画面の第３の表示例を示す図である。
【図８】モード処理メニュー情報テーブルの一例を示す図である。
【符号の説明】
【００４９】
１…録画再生装置、１０２…ＴＶチューナー部、１０３…オーディオＡ／Ｄ変換器、１０４…ビデオＡ／Ｄ変換器、１０５…ＭＰＥＧエンコーダ、１０６…オーディオＤ／Ａ変換器、１０７…ビデオＤ／Ａ変換器、１０８…ＨＤＤ、１０９…リモートコントローラ、１１０…受信機、１１１…マイクロプロセッサ、１１２…イーサネットコントローラ、１２０…システム制御部、１２１…各モード状態情報取得部、１２２…各モード状態一覧画面生成部、１２３…各モード処理メニュー生成部、１２４…表示処理部、１２５…各モード選択部、１２６…各モード処理メニュー選択部
【図１】
2010011331.tif 000003
【図２】
2010011331.tif 000004
【図３】
2010011331.tif 000005
【図４】
2010011331.tif 000006
【図５】
2010011331.tif 000007
【図６】
2010011331.tif 000008
【図７】
2010011331.tif 000009
【図８】
2010011331.tif 000010